(57)【要約】【課題】画素回路を構成する素子の特性ばらつき等に起因する表示むらの補正動作に伴う消費電力の低減を可能にした表示装置、当該表示装置の駆動方法、及び、当該表示装置を有する電子機器を提供する。【解決手段】本開示の表示装置は、映像信号の信号電圧をサンプリングするサンプリングトランジスタ、サンプリングトランジスタによってサンプリングされた信号電圧を保持する保持容量、及び、保持容量によって保持された信号電圧に応じて発光部を駆動する駆動トランジスタを有する画素回路が配置されて成る画素アレイ部と、１表示フレーム期間を２つに分割した前半の分割期間において駆動トランジスタの閾値補正を行い、前半の分割期間よりも長い期間に設定された後半の分割期間において信号電圧の書込みを行うべく画素回路を駆動する駆動部とを備える。【選択図】  図１０
2014149486.tif 000002
【特許請求の範囲】
【請求項１】
映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成る画素アレイ部と、
１表示フレーム期間を２つに分割した前半の分割期間において駆動トランジスタの閾値補正を行い、前半の分割期間よりも長い期間に設定された後半の分割期間において信号電圧の書込みを行うべく画素回路を駆動する駆動部とを備える表示装置。
【請求項２】
後半の分割期間において、駆動トランジスタの移動度補正を行う請求項１に記載の表示装置。
【請求項３】
保持容量は、駆動トランジスタのゲート電極と一方のソース／ドレイン電極との間に接続されている請求項１に記載の表示装置。
【請求項４】
サンプリングトランジスタは、映像信号の信号電圧と異なるタイミングで信号線に供給される、閾値補正に用いる基準電圧をサンプリングする請求項１に記載の表示装置。
【請求項５】
駆動部は、駆動トランジスタのゲート電位の初期化電位を基準として当該初期化電位から駆動トランジスタの閾値電圧を減じた電位に向けて、駆動トランジスタの一方のソース／ドレイン電極の電位を変化させることによって閾値補正を行う請求項１に記載の表示装置。
【請求項６】
前半の分割期間において、信号線に対して初期化電位を決める基準電圧が供給される請求項５に記載の表示装置。
【請求項７】
駆動部は、サンプリングトランジスタによって信号電圧を書き込む期間において、駆動トランジスタに流れる電流に応じた帰還量で保持容量に対して負帰還をかけることによって移動度補正を行う請求項２に記載の表示装置。
【請求項８】
後半の分割期間において、信号線に対して映像信号の信号電圧が供給される請求項７に記載の表示装置。
【請求項９】
映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成り、
サンプリングトランジスタは、１表示フレーム期間を２つに分割した前半の分割期間において基準電圧のサンプリングを行い、前半の分割期間よりも長い期間に設定された後半の分割期間において信号電圧のサンプリングを行う表示装置。
【請求項１０】
前半の分割期間において、駆動トランジスタの閾値補正を行う請求項９に記載の表示装置。
【請求項１１】
後半の分割期間において、信号電圧の書込みを行う請求項９に記載の表示装置。
【請求項１２】
後半の分割期間において更に、駆動トランジスタの移動度補正を行う請求項１１に記載の表示装置。
【請求項１３】
映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成る表示装置の駆動に当たって、
１表示フレーム期間を２つに分割した前半の分割期間において駆動トランジスタの閾値補正を行い、前半の分割期間よりも長い期間に設定された後半の分割期間において信号電圧の書込みを行う表示装置の駆動方法。
【請求項１４】
映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成る画素アレイ部と、
１表示フレーム期間を２つに分割した前半の分割期間において駆動トランジスタの閾値補正を行い、前半の分割期間よりも長い期間に設定された後半の分割期間において信号電圧の書込みを行うべく画素回路を駆動する駆動部とを備える表示装置を有する電子機器。
【発明の詳細な説明】
【技術分野】
【０００１】
本開示は、表示装置、表示装置の駆動方法、及び、電子機器に関し、特に、発光部を含む画素（画素回路）が行列状に２次元配置されて成る平面型(フラットパネル型)の表示装置、当該表示装置の駆動方法、及び、当該表示装置を有する電子機器に関する。
【背景技術】
【０００２】
平面型の表示装置の一つとして、発光部（発光素子）に流れる電流値に応じて発光輝度が変化する、所謂、電流駆動型の電気光学素子を画素の発光部として用いる表示装置がある。電流駆動型の電気光学素子としては、例えば、有機材料のエレクトロルミネッセンス（Electro Luminescence：ＥＬ）を利用し、有機薄膜に電界をかけると発光する現象を用いた有機ＥＬ素子が知られている。
【０００３】
有機ＥＬ表示装置などの平面型の表示装置にあっては、発光部としての電気光学素子を駆動するトランジスタの特性、具体的には、閾値電圧等のトランジスタ特性が、プロセスの変動などによって画素毎にばらつく場合がある。トランジスタ特性のばらつきは、発光輝度に影響を及ぼす。
【０００４】
具体的には、各画素に同一のレベル（信号電圧）の映像信号を書き込んだとしても、発光輝度が画素間でばらつくため表示むらが生じ、表示画面の一様性（ユニフォーミティ）が損なわれる。そのため、画素回路を構成する素子の特性ばらつき等に起因する表示むらを補正するための技術、具体的には、閾値電圧等の補正動作を行うための技術が提案されている（例えば、特許文献１参照）。
【先行技術文献】
【特許文献】
【０００５】
【特許文献１】特開２００８−０８３２７２号公報
【発明の概要】
【発明が解決しようとする課題】
【０００６】
特許文献１に記載の従来技術では、（１）閾値補正と、（２）信号書込み及び信号書込みと同期間で行う移動度補正と、を１水平期間の間に行うようにしているため、信号線に対して閾値補正に用いる基準電圧と映像信号の信号電圧とを１水平期間毎に書き換えることになる。そのため、各信号線における充放電の回数が多く、信号線に対して基準電圧／信号電圧を供給する信号出力部（所謂、シグナルドライバ）の消費電力が多くなってしまう。換言すれば、画素回路を構成する素子の特性ばらつき等に起因する表示むらの補正動作に伴って信号出力部、ひいては表示装置の消費電力が増大するという問題があった。
【０００７】
そこで、本開示は、画素回路を構成する素子の特性ばらつき等に起因する表示むらの補正動作に伴う消費電力の低減を可能にした表示装置、当該表示装置の駆動方法、及び、当該表示装置を有する電子機器を提供することを目的とする。
【課題を解決するための手段】
【０００８】
上記の目的を達成するための本開示の表示装置は、
映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成る画素アレイ部と、
１表示フレーム期間を２つに分割した前半の分割期間において駆動トランジスタの閾値補正を行い、前半の分割期間よりも長い期間に設定された後半の分割期間において信号電圧の書込みを行うべく画素回路を駆動する駆動部とを備える表示装置である。
【０００９】
本開示の表示装置は、表示部を備える各種の電子機器において、その表示部として用いることができる。
【００１０】
また、上記の目的を達成するための本開示の表示装置の駆動方法は、
映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成る表示装置の駆動に当たって、
１表示フレーム期間を２つに分割した前半の分割期間において駆動トランジスタの閾値補正を行い、前半の分割期間よりも長い期間に設定された後半の分割期間において信号電圧の書込みを行う表示装置の駆動方法である。
【００１１】
１表示フレーム期間を２つに分割し、その前半の分割期間において駆動トランジスタの閾値補正を行い、後半の分割期間において信号書込み（信号電圧の書込み）を行う（信号書込みと同期間で駆動トランジスタの移動度補正も行われる）ことで、信号線に対して閾値補正に用いる基準電圧と映像信号の信号電圧とを１表示フレーム期間毎に書き換えればよいことになる。これにより、１水平期間毎に書き換える場合に比べて、各信号線における充放電の回数を大幅に削減できるため、信号線に対して基準電圧／信号電圧を供給する信号出力部、ひいては表示装置の消費電力を低減できる。
【００１２】
しかも、前半の分割期間内において比較的自由に閾値補正のための時間を確保することができるため、閾値補正を１水平期間の間に行う場合に比べて、１回当たりの閾値補正の動作時間を十分に確保できる（長時間化できる）。また、後半の分割期間を前半の分割期間よりも長く設定し、後半の分割期間において信号書込み及び駆動トランジスタの移動度補正を行うことで、２つの分割期間を等しく設定した場合に比べて、移動度補正の動作時間のマージンを確保することができる。
【発明の効果】
【００１３】
本開示によれば、各信号線における充放電の回数を大幅に削減できるため、画素回路を構成する素子の特性ばらつき等に起因する表示むらの補正動作に伴う消費電力の低減が可能となる。しかも、１回当たりの閾値補正の動作時間を十分に確保した上で、信号書込みと移動度補正の動作時間のマージンを確保することで、閾値補正及び信号書込みと移動度補正をより確実に行うことができるため、高ユニフォーミティの表示画面を得ることができる。
【図面の簡単な説明】
【００１４】
【図１】図１は、本開示が適用されるアクティブマトリクス型表示装置の基本的な構成の概略を示すシステム構成図である。
【図２】図２は、画素（画素回路）の具体的な回路構成の一例を示す回路図である。
【図３】図３は、本開示が適用されるアクティブマトリクス型有機ＥＬ表示装置の従来技術に係る駆動方法を説明するためのタイミング波形図である。
【図４】図４Ａは、前表示フレームの発光期間における動作説明図であり、図４Ｂは、消光期間における動作説明図である。
【図５】図５Ａは、閾値補正準備期間における動作説明図であり、図５Ｂは、閾値補正期間における動作説明図である。
【図６】図６Ａは、信号書込み＆移動度補正期間における動作説明図であり、図６Ｂは、現表示フレームの発光期間における動作説明図である。
【図７】図７は、参考例に係る駆動方法についてのタイミング波形図である。
【図８】図８は、参考例に係る駆動方法の場合の閾値補正、信号書込み＆移動度補正、及び、発光についての概念図である。
【図９】図９は、実施例に係る駆動方法についてのタイミング波形図である。
【図１０】図１０は、実施例に係る駆動方法の場合の閾値補正、信号書込み＆移動度補正、及び、発光についての概念図である。
【発明を実施するための形態】
【００１５】
以下、本開示の技術を実施するための形態（以下、「実施形態」と記述する）について図面を用いて詳細に説明する。本開示は実施形態に限定されるものではなく、実施形態における種々の数値などは例示である。以下の説明において、同一要素又は同一機能を有する要素には同一符号を用いることとし、重複する説明は省略する。図面についても同様である。尚、説明は以下の順序で行う。
１．本開示の表示装置、表示装置の駆動方法、及び、電子機器、全般に関する説明
２．本開示が適用されるアクティブマトリクス型表示装置
２−１．システム構成
２−２．画素回路
２−３．従来技術に係る駆動方法
３．実施形態に関する説明
３−１．参考例
３−２．実施例
４．変形例
５．電子機器
６．本開示の構成
【００１６】
＜１．本開示の表示装置、表示装置の駆動方法、及び、電子機器、全般に関する説明＞
本開示の表示装置は、発光部、サンプリングトランジスタ、駆動トランジスタ、及び、保持容量を有する画素回路（画素）が配置されて成る平面型（フラットパネル型）の表示装置である。
【００１７】
ここで、サンプリングトランジスタは、映像信号の信号電圧をサンプリングすることによって画素内に書き込む。保持容量は、サンプリングトランジスタによってサンプリングされた（書き込まれた）信号電圧を保持する。駆動トランジスタは、保持容量によって保持された信号電圧に応じて発光部を駆動する。
【００１８】
平面型の表示装置としては、有機ＥＬ表示装置、液晶表示装置、プラズマ表示装置などを例示することができる。これらの表示装置のうち、有機ＥＬ表示装置は、有機材料のエレクトロルミネッセンスを利用し、有機薄膜に電界をかけると発光する現象を用いた有機ＥＬ素子を画素の発光素子（電気光学素子）として用いている。
【００１９】
画素の発光部として有機ＥＬ素子を用いた有機ＥＬ表示装置は次のような特長を持っている。すなわち、有機ＥＬ素子が１０Ｖ以下の印加電圧で駆動できるために、有機ＥＬ表示装置は低消費電力である。有機ＥＬ素子が自発光素子であるために、有機ＥＬ表示装置は、同じ平面型の表示装置である液晶表示装置に比べて、画像の視認性が高く、しかも、バックライト等の照明部材を必要としないために軽量化及び薄型化が容易である。更に、有機ＥＬ素子の応答速度が数μｓｅｃ程度と非常に高速であるために、有機ＥＬ表示装置は動画表示時の残像が発生しない。
【００２０】
有機ＥＬ素子は自発光素子である。また、有機ＥＬ素子は電流駆動型の電気光学素子である。電流駆動型の電気光学素子としては、有機ＥＬ素子の他に、無機ＥＬ素子、ＬＥＤ素子、半導体レーザー素子などを例示することができる。
【００２１】
上記の構成の平面型の表示装置において、画素回路の駆動に当たって、１表示フレーム期間を２つに分割し、前半の分割期間よりも後半の分割期間を長く設定する。そして、当該表示装置において、画素回路を駆動する駆動部による駆動の下に、前半の分割期間において駆動トランジスタの閾値補正を行い、前半の分割期間よりも長い期間に設定された後半の分割期間において信号電圧の書込み（以下、単に「信号書込み」と記述する場合もある）を行う。
【００２２】
有機ＥＬ表示装置等の平面型の表示装置は、表示部を備える各種の電子機器において、その表示部（表示装置）として用いることができる。各種の電子機器としては、テレビジョンシステムの他、デジタルカメラ、ビデオカメラ、ゲーム機、ノート型パーソナルコンピュータ、電子書籍等の携帯情報機器、ＰＤＡ（Personal Digital Assistant）や携帯電話機等の携帯通信機器などを例示することができる。
【００２３】
上述した好ましい構成を含む本開示の表示装置、表示装置の駆動方法、及び、電子機器にあっては、後半の分割期間、即ち、信号書込みと同期間において駆動トランジスタの移動度補正を行う構成とすることができる。また、保持容量について、駆動トランジスタのゲート電極と一方のソース／ドレイン電極との間に接続された構成とすることができる。更に、サンプリングトランジスタについて、映像信号の信号電圧と異なるタイミングで信号線に供給される、後述する閾値補正に用いる基準電圧をサンプリングする構成とすることができる。換言すれば、サンプリングトランジスタについて、１表示フレーム期間を２つに分割した前半の分割期間において基準電圧のサンプリングを行い、前半の分割期間よりも長い期間に設定された後半の分割期間において信号電圧のサンプリングを行う構成とすることができる。
【００２４】
また、上述した好ましい構成を含む本開示の表示装置、表示装置の駆動方法、及び、電子機器にあっては、駆動部について、駆動トランジスタの閾値電圧を補正する閾値補正を行う構成とすることができる。閾値補正は、駆動トランジスタのゲート電位の初期化電位を基準として当該初期化電位から駆動トランジスタの閾値電圧を減じた電位に向けて、駆動トランジスタの一方のソース／ドレイン電極の電位を変化させることによって行うことができる。駆動トランジスタのゲート電位の初期化電位を決めるのに、前半の分割期間において信号線に対して供給される基準電圧を用いることができる。
【００２５】
また、上述した好ましい構成を含む本開示の表示装置、表示装置の駆動方法、及び、電子機器にあっては、駆動部について、駆動トランジスタの移動度を補正する移動度補正を行う構成とすることができる。移動度補正は、サンプリングトランジスタによって映像信号の信号電圧を書き込む期間において、駆動トランジスタに流れる電流に応じた帰還量で保持容量に対して負帰還をかけることによって行うことができる。映像信号の信号電圧は、前半の分割期間において信号線に対して供給される。
【００２６】
＜２．本開示が適用されるアクティブマトリクス型表示装置＞
［２−１．システム構成］
図１は、本開示が適用されるアクティブマトリクス型表示装置の基本的な構成の概略を示すシステム構成図である。
【００２７】
アクティブマトリクス型表示装置は、電気光学素子に流れる電流を、当該電気光学素子と同じ画素内に設けた能動素子、例えば絶縁ゲート型電界効果トランジスタによって制御する表示装置である。絶縁ゲート型電界効果トランジスタとしては、典型的には、ＴＦＴ（Thin Film Transistor；薄膜トランジスタ）を用いることができる。
【００２８】
ここでは、一例として、デバイスに流れる電流値に応じて発光輝度が変化する電流駆動型の電気光学素子である例えば有機ＥＬ素子を、画素（画素回路）の発光素子として用いるアクティブマトリクス型有機ＥＬ表示装置の場合を例に挙げて説明するものとする。以下では、「画素回路」を単に「画素」と記述する場合もある。
【００２９】
図１に示すように、本開示の前提となる有機ＥＬ表示装置１０は、有機ＥＬ素子を含む複数の画素２０が行列状（マトリクス状）に２次元配置されて成る画素アレイ部３０と、当該画素アレイ部３０の周辺に配置される駆動回路部（駆動部）とを有する構成となっている。駆動回路部は、例えば、画素アレイ部３０と同じ表示パネル７０上に搭載された書込み走査部４０、駆動走査部５０、及び、信号出力部６０等から成り、画素アレイ部３０の各画素２０を駆動する。尚、書込み走査部４０、駆動走査部５０、及び、信号出力部６０のいくつか、あるいは全部を表示パネル７０外に設ける構成を採ることも可能である。
【００３０】
ここで、有機ＥＬ表示装置１０がカラー表示対応の場合は、カラー画像を形成する単位となる１つの画素（単位画素／ピクセル）は複数の副画素（サブピクセル）から構成される。このとき、副画素の各々が図１の画素２０に相当することになる。より具体的には、カラー表示対応の表示装置では、１つの画素は、例えば、赤色（Ｒｅｄ；Ｒ）光を発光する副画素、緑色（Ｇｒｅｅｎ；Ｇ）光を発光する副画素、青色（Ｂｌｕｅ；Ｂ）光を発光する副画素の３つの副画素から構成される。
【００３１】
但し、１つの画素としては、ＲＧＢの３原色の副画素の組み合わせに限られるものではなく、３原色の副画素に更に１色あるいは複数色の副画素を加えて１つの画素を構成することも可能である。より具体的には、例えば、輝度向上のために白色（Ｗｈｉｔｅ；Ｗ）光を発光する副画素を加えて１つの画素を構成したり、色再現範囲を拡大するために補色光を発光する少なくとも１つの副画素を加えて１つの画素を構成したりすることも可能である。
【００３２】
画素アレイ部３０には、ｍ行ｎ列の画素２０の配列に対して、行方向（画素行の画素の配列方向／水平方向）に沿って走査線３１（３１1〜３１m）と電源供給線３２（３２1〜３２m）とが画素行毎に配線されている。更に、ｍ行ｎ列の画素２０の配列に対して、列方向（画素列の画素の配列方向／垂直方向）に沿って信号線３３（３３1〜３３n）が画素列毎に配線されている。
【００３３】
走査線３１1〜３１mは、書込み走査部４０の対応する行の出力端にそれぞれ接続されている。電源供給線３２1〜３２mは、駆動走査部５０の対応する行の出力端にそれぞれ接続されている。信号線３３1〜３３nは、信号出力部６０の対応する列の出力端にそれぞれ接続されている。
【００３４】
書込み走査部４０は、シフトレジスタ回路等によって構成されている。この書込み走査部４０は、画素アレイ部３０の各画素２０への映像信号の信号電圧の書込みに際して、走査線３１（３１1〜３１m）に対して書込み走査信号ＷＳ（ＷＳ1〜ＷＳm）を順次供給することによって画素アレイ部３０の各画素２０を行単位で順番に走査する、所謂、線順次走査を行う。
【００３５】
駆動走査部５０は、書込み走査部４０と同様に、シフトレジスタ回路等によって構成されている。この駆動走査部５０は、書込み走査部４０による線順次走査に同期して、第１電源電位Ｖcc_Hと当該第１電源電位Ｖcc_Hよりも低い第２電源電位Ｖcc_Lとで切り替わることが可能な電源電位ＤＳ（ＤＳ1〜ＤＳm）を電源供給線３２（３２1〜３２m）に供給する。後述するように、駆動走査部５０による電源電位ＤＳのＶcc_H／Ｖcc_Lの切替えによって、画素２０の発光／非発光（消光）の制御が行なわれる。
【００３６】
信号出力部６０は、信号供給源（図示せず）から供給される輝度情報に応じた映像信号の信号電圧（以下、単に「信号電圧」と記述する場合もある）Ｖsigと基準電圧Ｖofsとを選択的に出力する。ここで、基準電圧Ｖofsは、映像信号の信号電圧Ｖsigの基準となる電圧（例えば、映像信号の黒レベルに相当する電圧）であり、後述する閾値補正処理の際に用いられる。
【００３７】
信号出力部６０から出力される信号電圧Ｖsig／基準電圧Ｖofsは、信号線３３（３３1〜３３n）を介して画素アレイ部３０の各画素２０に対して、書込み走査回路４０による走査によって選択された画素行の単位で書き込まれる。すなわち、信号出力部６０は、信号電圧Ｖsigを行（ライン）単位で書き込む線順次書込みの駆動形態を採っている。
【００３８】
［２−２．画素回路］
図２は、画素（画素回路）２０の具体的な回路構成の一例を示す回路図である。画素２０の発光部は、デバイスに流れる電流値に応じて発光輝度が変化する電流駆動型の電気光学素子である有機ＥＬ素子２１から成る。
【００３９】
図２に示すように、画素２０は、有機ＥＬ素子２１と、有機ＥＬ素子２１に電流を流すことによって当該有機ＥＬ素子２１を駆動する駆動回路とによって構成されている。有機ＥＬ素子２１は、全ての画素２０に対して共通に配線された共通電源線３４にカソード電極が接続されている。図２には、有機ＥＬ素子２１の等価容量Ｃelについても図示している。
【００４０】
有機ＥＬ素子２１を駆動する駆動回路は、駆動トランジスタ２２、サンプリングトランジスタ２３、及び、保持容量２４を有する構成となっている。駆動トランジスタ２２及びサンプリングトランジスタ２３として、Ｎチャネル型のＴＦＴを用いることができる。但し、ここで示した、駆動トランジスタ２２及びサンプリングトランジスタ２３の導電型の組み合わせは一例に過ぎず、これらの組み合わせに限られるものではない。
【００４１】
駆動トランジスタ２２は、一方の電極（ソース／ドレイン電極）が有機ＥＬ素子２１のアノード電極に接続され、他方の電極（ソース／ドレイン電極）が電源供給線３２（３２1〜３２m）に接続されている。
【００４２】
サンプリングトランジスタ２３は、一方の電極（ソース／ドレイン電極）が信号線３３（３３1〜３３n）に接続され、他方の電極（ソース／ドレイン電極）が駆動トランジスタ２２のゲート電極に接続されている。また、サンプリングトランジスタ２３のゲート電極は、走査線３１（３１1〜３１m）に接続されている。
【００４３】
駆動トランジスタ２２及びサンプリングトランジスタ２３において、一方の電極とは、一方のソース／ドレイン領域に電気的に接続された金属配線を言い、他方の電極とは、他方のソース／ドレイン領域に電気的に接続された金属配線を言う。また、一方の電極と他方の電極との電位関係によって一方の電極がソース電極ともなればドレイン電極ともなり、他方の電極がドレイン電極ともなればソース電極ともなる。
【００４４】
保持容量２４は、一方の電極が駆動トランジスタ２２のゲート電極に接続され、他方の電極が駆動トランジスタ２２の他方の電極、及び、有機ＥＬ素子２１のアノード電極に接続されている。
【００４５】
上記構成の画素２０において、サンプリングトランジスタ２３は、書込み走査部４０から走査線３１を通してゲート電極に印加されるＨｉｇｈアクティブの書込み走査信号ＷＳに応答して導通状態となる。これにより、サンプリングトランジスタ２３は、信号線３３を通して信号出力部６０から異なるタイミングで供給される、輝度情報に応じた映像信号の信号電圧Ｖsigまたは基準電圧Ｖofsをサンプリングして画素２０内に書き込む。サンプリングトランジスタ２３によって書き込まれた信号電圧Ｖsigまたは基準電圧Ｖofsは、駆動トランジスタ２２のゲート電極に印加されるとともに保持容量２４に保持される。
【００４６】
駆動トランジスタ２２は、電源供給線３２（３２1〜３２m）の電源電位ＤＳが第１電源電位Ｖcc_Hにあるときには、一方の電極がドレイン電極、他方の電極がソース電極となって飽和領域で動作する。これにより、駆動トランジスタ２２は、電源供給線３２から電流の供給を受けて有機ＥＬ素子２１を電流駆動にて発光駆動する。より具体的には、駆動トランジスタ２２は、飽和領域で動作することにより、保持容量２４に保持された信号電圧Ｖsigの電圧値に応じた電流値の駆動電流を有機ＥＬ素子２１に供給し、当該有機ＥＬ素子２１を電流駆動することによって発光させる。
【００４７】
駆動トランジスタ２２は更に、電源電位ＤＳが第１電源電位Ｖcc_Hから第２電源電位Ｖcc_Lに切り替わったときには、一方の電極がソース電極、他方の電極がドレイン電極となってスイッチングトランジスタとして動作する。これにより、駆動トランジスタ２２は、有機ＥＬ素子２１への駆動電流の供給を停止し、有機ＥＬ素子２１を非発光状態にする。すなわち、駆動トランジスタ２２は、電源電位ＤＳ（Ｖcc_H／Ｖcc_L）の切替えの下に、有機ＥＬ素子２１の発光／非発光を制御するトランジスタとしての機能をも併せ持っている。
【００４８】
この駆動トランジスタ２２のスイッチング動作により、有機ＥＬ素子２１が非発光状態となる期間（非発光期間）を設け、有機ＥＬ素子２１の発光期間と非発光期間の割合（デューティ）を制御することができる。このデューティ制御により、１表示フレーム期間に亘って画素が発光することに伴う残像ボケを低減できるために、特に、動画の画品位をより優れたものとすることができる。
【００４９】
駆動走査部５０から電源供給線３２を通して選択的に供給される第１，第２電源電位Ｖcc_H，Ｖcc_Lのうち、第１電源電位Ｖcc_Hは有機ＥＬ素子２１を発光駆動する駆動電流を駆動トランジスタ２２に供給するための電源電位である。また、第２電源電位Ｖcc_Lは、有機ＥＬ素子２１に対して逆バイアスを掛けるための電源電位である。この第２電源電位Ｖcc_Lは、基準電圧Ｖofsよりも低い電位、例えば、駆動トランジスタ２２の閾値電圧をＶthとするとき、Ｖofs−Ｖthよりも低い電位、好ましくは、Ｖofs−Ｖthよりも十分に低い電位に設定される。
【００５０】
［２−３．従来技術に係る駆動方法］
続いて、上記の構成の有機ＥＬ表示装置１０の従来技術に係る駆動方法の回路動作について、図３のタイミング波形図に基づいて図４乃至図６の動作説明図を用いて説明する。尚、図４乃至図６の動作説明図では、図面の簡略化のために、サンプリングトランジスタ２３をスイッチのシンボルで図示している。
【００５１】
図３のタイミング波形図には、走査線３１の電位（書込み走査信号）ＷＳ、電源供給線３２の電位（電源電位）ＤＳ、信号線３３の電位（Ｖsig／Ｖofs）、駆動トランジスタ２２のゲート電位Ｖg及びソース電位Ｖsのそれぞれの変化を示している。ここで、信号線３３の電位の切替え周期、即ち、映像信号の信号電圧Ｖsigと基準電圧Ｖofsとの切替え周期が１水平期間（１Ｈ）となっている。
【００５２】
尚、サンプリングトランジスタ２３がＮチャネル型であるため、書込み走査信号ＷＳの高電位の状態がアクティブ状態、低電位の状態が非アクティブ状態となる。そして、サンプリングトランジスタ２３は、書込み走査信号ＷＳのアクティブ（Ｈｉｇｈアクティブ）状態で導通状態となり、非アクティブ状態で非導通状態となる。
【００５３】
（前表示フレームの発光期間）
図３のタイミング波形図において、時刻ｔ1よりも前は、前の表示フレームにおける有機ＥＬ素子２１の発光期間となる。この前表示フレームの発光期間では、電源供給線３２の電位ＤＳが第１電源電位（以下、「高電位」と記述する）Ｖcc_Hにあり、また、サンプリングトランジスタ２３が非導通状態にある。
【００５４】
このとき、駆動トランジスタ２２は飽和領域で動作するように設定されている。これにより、図４Ａに示すように、駆動トランジスタ２２のゲート−ソース間電圧Ｖgsに応じた駆動電流（ドレイン−ソース間電流）Ｉdsが、電源供給線３２から駆動トランジスタ２２を通して有機ＥＬ素子２１に供給される。従って、有機ＥＬ素子２１が駆動電流Ｉdsの電流値に応じた輝度で発光する。
【００５５】
有機ＥＬ素子２１に供給される駆動電流（駆動トランジスタ２２のドレイン−ソース間電流）Ｉdsは、次式（１）で与えられる。
Ｉds＝（１／２）・μ（Ｗ／Ｌ）Ｃox（Ｖgs−Ｖth）2           ……（１）
ここで、Ｗは駆動トランジスタ２２のチャネル幅、Ｌは駆動トランジスタ２２のチャネル長、Ｃoxは駆動トランジスタ２２の単位面積当たりのゲート容量である。
【００５６】
（消光期間）
時刻ｔ1になると、線順次走査の新しい表示フレーム（現表示フレーム）の非発光期間に入る。そして、時刻ｔ1で、図４Ｂに示すように、電源供給線３２の電位ＤＳが高電位Ｖcc_Hから第２電源電位（以下、「低電位」と記述する）Ｖcc_Lに切り替わる。
【００５７】
ここで、有機ＥＬ素子２１の閾値電圧をＶth_EL、共通電源線３４の電位（カソード電位）をＶcathとする。このとき、低電位Ｖcc_LをＶcc_L＜Ｖth_EL＋Ｖcathとすると、有機ＥＬ素子２１は逆バイアス状態となるために消光する。また、駆動トランジスタ２２の電源供給線３２側のソース／ドレイン領域がソース領域となり、有機ＥＬ素子２１側のソース／ドレイン領域がドレイン領域となる。このとき、有機ＥＬ素子２１のアノード電極は、低電位Ｖcc_Lに充電される。
【００５８】
（閾値補正準備期間）
次に、信号線３３に基準電圧Ｖofsが供給されているときに、時刻ｔ2で走査線３１の電位ＷＳが低電位Ｖws_Lから高電位Ｖws_Hに遷移すると、図５Ａに示すように、サンプリングトランジスタ２３が導通状態になって、基準電圧Ｖofsをサンプリングする。これにより、駆動トランジスタ２２のゲート電位Ｖgが基準電圧Ｖofsになる。また、駆動トランジスタ２２のソース電位Ｖsは、基準電圧Ｖofsよりも十分に低い電位、即ち、低電位Ｖcc_Lにある。
【００５９】
このとき、駆動トランジスタ２２のゲート−ソース間電圧ＶgsはＶofs−Ｖcc_Lとなる。ここで、Ｖofs−Ｖcc_Lが駆動トランジスタ２２の閾値電圧Ｖthよりも大きくないと、後述する閾値補正処理（閾値補正動作）を行うことができないために、Ｖofs−Ｖcc_L＞Ｖthなる電位関係に設定する必要がある。
【００６０】
このように、駆動トランジスタ２２のゲート電位Ｖgを基準電圧Ｖofsに設定し、かつ、ソース電位Ｖsを低電位Ｖcc_Lに設定して（確定させて）初期化する処理が、後述する閾値補正処理を行う前の準備（閾値補正準備）の処理である。従って、基準電圧Ｖofs及び低電位Ｖcc_Lが、駆動トランジスタ２２のゲート電位Ｖg及びソース電位Ｖsの各初期化電位となる。
【００６１】
このようにして、走査線３１の電位ＷＳが高電位Ｖws_Hとなる時刻ｔ2から時刻ｔ3までの期間において１回目の閾値補正準備の動作が行われる。そして、続く１水平期間における時刻ｔ4から時刻ｔ5までの期間において２回目の閾値補正準備の動作が、１回目の閾値補正準備の動作と同様にして行われる。
【００６２】
（閾値補正期間）
続いて、信号線３３の電位が基準電圧Ｖofsにあり、走査線３１の電位ＷＳが高電位Ｖws_Hとなる期間において、時刻ｔ6で電源供給線３２の電位ＤＳが低電位Ｖcc_Lから高電位Ｖcc_Hに切り替わる。これにより、駆動トランジスタ２２の電源供給線３２側のソース／ドレイン領域がドレイン領域となり、有機ＥＬ素子２１側のソース／ドレイン領域がソース領域となり、図５Ｂに示すように、駆動トランジスタ２２に電流が流れる。
【００６３】
有機ＥＬ素子２１の等価回路は、ダイオードと等価容量Ｃelで表わされる。従って、駆動トランジスタ２２のソース電位Ｖsが、Ｖs≦Ｖth_EL＋Ｖcath（有機ＥＬ素子２１のリーク電流が駆動トランジスタ２２に流れる電流よりも十分小さい）である限り、駆動トランジスタ２２に流れる電流は、保持容量２４及び有機ＥＬ素子２１の等価容量Ｃelを充電するために使われる。このとき、駆動トランジスタ２２のソース電位Ｖsは、時間の経過とともに図３のタイミング波形図に示すように上昇してゆく。
【００６４】
一定時間が経過した時刻ｔ7で走査線３１の電位ＷＳが高電位Ｖws_Hから低電位Ｖcc_Lに遷移することで、サンプリングトランジスタ２３が非導通状態となる。このとき、駆動トランジスタ２２のゲート−ソース間電圧Ｖgsが閾値電圧Ｖthよりも大きいために駆動トランジスタ２２に電流が流れ、図３のタイミング波形図に示すように、駆動トランジスタ２２のゲート電位Ｖg、ソース電位Ｖsが共に上昇してゆく。
【００６５】
このように、駆動トランジスタ２２のゲート電位Ｖgの初期化電位Ｖofsを基準とし、当該初期化電位Ｖofsから駆動トランジスタ２２の閾値電圧Ｖthを減じた電位に向けてソース電位Ｖsを変化させる処理（動作）が閾値補正処理（動作）である。このとき、Ｖs≦Ｖth_EL＋Ｖcathである限り、有機ＥＬ素子２１には逆バイアスがかかるため発光することはない。
【００６６】
信号線３３の電位が再び基準電圧Ｖofsとなる次の１水平期間において、時刻ｔ8で走査線３１の電位ＷＳが再び高電位Ｖws_Hに遷移し、サンプリングトランジスタ２３が導通状態になることで、２回目の閾値補正処理が開始される。２回目の閾値補正処理は、走査線３１の電位ＷＳが低電位Ｖws_Lに遷移する時刻ｔ9まで行われる。
【００６７】
以上の動作を繰り返すことにより、最終的に、駆動トランジスタ２２のゲート−ソース間電圧Ｖgsが駆動トランジスタ２２の閾値電圧Ｖthに収束する。この閾値電圧Ｖthに相当する電圧は保持容量２４に保持される。このとき、Ｖs＝Ｖofs−Ｖth≦Ｖth_EL＋Ｖcathとなる。
【００６８】
本例では、閾値補正処理を分割して複数回実行する、所謂、分割閾値補正を行う駆動法を採っている。但し、分割閾値補正の駆動法の採用に限らず、閾値補正処理を１回だけ実行する駆動法を採ってもよいことは勿論である。ここで、「分割閾値補正」とは、閾値補正処理を後述する信号書込み＆移動度補正処理と共に行う１水平期間に加えて、当該１水平期間に先行する複数の水平期間に亘って分割して閾値補正処理を複数回実行する駆動法である。
【００６９】
この分割閾値補正の駆動法によれば、高精細化に伴う多画素化によって１水平期間として割り当てられる時間が短くなったとしても、閾値補正期間として複数の水平期間に亘って十分な時間を確保することができる。従って、１水平期間として割り当てられる時間が短くなっても、閾値補正期間として十分な時間を確保できるため、閾値補正処理を確実に実行できることになる。
【００７０】
本例では、分割閾値補正の駆動法の下に、閾値補正処理を上記の１回目、２回目に加えて更に２回、計４回行うようにしている。すなわち、２回目の水平期間に続く２水平期間において、走査線３１の電位ＷＳが低電位Ｖcc_Lから高電位Ｖws_Hに遷移するタイミングに同期して順次３回目、４回目の閾値補正処理を行う。具体的には、時刻ｔ10−時刻ｔ11の期間で３回目の閾値補正処理を、時刻ｔ12−時刻ｔ13の期間で４回目の閾値補正処理をそれぞれ行うようにしている。
【００７１】
（信号書込み＆移動度補正期間）
４回目の閾値補正処理が終了すると、同じ水平期間において、信号線３３の電位が基準電圧Ｖofsから映像信号の信号電圧Ｖsigに切り替わることで、信号書込み＆移動度補正の処理が行われる。すなわち、信号線３３に映像信号の信号電圧Ｖsigが供給されている期間において、時刻ｔ14で走査線３１の電位ＷＳが低電位Ｖcc_Lから高電位Ｖws_Hに遷移することで、図６Ａに示すように、サンプリングトランジスタ２３が導通状態となり、信号電圧Ｖsigをサンプリングし、画素２０内に書き込む。
【００７２】
このサンプリングトランジスタ２３による信号電圧Ｖsigの書込みにより、駆動トランジスタ２２のゲート電位Ｖgが信号電圧Ｖsigになる。そして、映像信号の信号電圧Ｖsigによる駆動トランジスタ２２の駆動の際に、当該駆動トランジスタ２２の閾値電圧Ｖthが保持容量２４に保持された閾値電圧Ｖthに相当する電圧と相殺されることにより、最終的に、閾値補正処理が行われる。
【００７３】
また、図３のタイミング波形図に示すように、駆動トランジスタ２２のソース電位Ｖsが時間の経過とともに上昇していく。このとき、駆動トランジスタ２２のソース電位Ｖsが、有機ＥＬ素子２１の閾値電圧Ｖth_ELとカソード電位Ｖcathの和を超えなければ、即ち、有機ＥＬ素子２１のリーク電流が駆動トランジスタ２２に流れる電流よりも十分小さければ、駆動トランジスタ２２に流れる電流は、保持容量２４及び等価容量Ｃelに流れ込む。これにより、保持容量２４及び等価容量Ｃelの充電が開始される。
【００７４】
保持容量２４及び等価容量Ｃelが充電されることにより、駆動トランジスタ２２のソース電位Ｖsが時間の経過とともに上昇していく。このとき既に、駆動トランジスタ２２の閾値電圧Ｖthの補正処理（補正動作）が完了しているため、駆動トランジスタ２２のドレイン−ソース間電流Ｉdsは当該駆動トランジスタ２２の移動度μに依存したものとなる。尚、駆動トランジスタ２２の移動度μは、当該駆動トランジスタ２２のチャネルを構成する半導体薄膜の移動度である。
【００７５】
ここで、映像信号の信号電圧Ｖsigに対する保持容量２４の保持電圧Ｖgsの比率、即ち、書込みゲインＧが１（理想値）であると仮定する。すると、駆動トランジスタ２２のソース電位ＶsがＶofs−Ｖth＋ΔＶの電位まで上昇することで、駆動トランジスタ２２のゲート‐ソース間電圧ＶgsはＶsig−Ｖofs＋Ｖth−ΔＶとなる。
【００７６】
すなわち、駆動トランジスタ２２のソース電位Ｖsの上昇分ΔＶは、保持容量２４に保持された電圧（Ｖsig−Ｖofs＋Ｖth）から差し引かれるように、即ち、保持容量２４の充電電荷を放電するように作用する。換言すれば、ソース電位Ｖsの上昇分ΔＶは、保持容量２４に対して負帰還がかけられたことになる。従って、ソース電位Ｖsの上昇分ΔＶは負帰還の帰還量となる。
【００７７】
このように、駆動トランジスタ２２に流れるドレイン−ソース間電流Ｉdsに応じた帰還量ΔＶでゲート‐ソース間電圧Ｖgsに負帰還をかけることで、駆動トランジスタ２２のドレイン−ソース間電流Ｉdsの移動度μに対する依存性を打ち消すことができる。この依存性を打ち消す処理が、駆動トランジスタ２２の移動度μの画素毎のばらつきを補正する移動度補正処理（動作）である。
【００７８】
より具体的には、駆動トランジスタ２２のゲート電極に書き込まれる映像信号の信号振幅Ｖin（＝Ｖsig−Ｖofs）が高い程ドレイン−ソース間電流Ｉdsが大きくなるため、負帰還の帰還量ΔＶの絶対値も大きくなる。従って、発光輝度レベルに応じた移動度補正処理が行われる。
【００７９】
また、映像信号の信号振幅Ｖinを一定とした場合、駆動トランジスタ２２の移動度μが大きいほど負帰還の帰還量ΔＶの絶対値も大きくなるため、画素毎の移動度μのばらつきを取り除くことができる。従って、負帰還の帰還量ΔＶは、移動度補正処理の補正量と言うこともできる。
【００８０】
具体的には、移動度μが大きい駆動トランジスタ２２はこのときの電流量が大きく、ソース電位Ｖsの上昇も早い。逆に、移動度μが小さい駆動トランジスタ２２はこのときの電流量が小さく、ソース電位Ｖsの上昇は遅くなる。これにより、サンプリングトランジスタ２３が導通状態になってから駆動トランジスタ２２のソース電位Ｖsは上昇し、サンプリングトランジスタ２３が非導通状態になったときには移動度μを反映した電圧Ｖs0となる。駆動トランジスタ２２のドレイン−ソース間電圧Ｖdsは、Ｖsig−Ｖs0となり、移動度μを補正する電圧となる。
【００８１】
（発光期間）
時刻ｔ15で走査線３１の電位ＷＳが高電位Ｖws_Hから低電位Ｖcc_Lに遷移することで、図６Ａに示すように、サンプリングトランジスタ２３が非導通状態となり、信号書込み＆移動度補正の処理が終了する。また、サンプリングトランジスタ２３が非導通状態となることで、駆動トランジスタ２２のゲート電極は、信号線３３から電気的に切り離されるためにフローティング状態になる。
【００８２】
ここで、駆動トランジスタ２２のゲート電極がフローティング状態にあるときは、駆動トランジスタ２２のゲート−ソース間に保持容量２４が接続されていることにより、駆動トランジスタ２２のソース電位Ｖsの変動に連動してゲート電位Ｖgも変動する。従って、駆動トランジスタ２２のドレイン−ソース間電圧Ｖdsは一定に保たれたままである。
【００８３】
このように、駆動トランジスタ２２のゲート電位Ｖgがソース電位Ｖsの変動に連動して変動する動作が、換言すれば、保持容量２４に保持されたゲート−ソース間電圧Ｖdsを一定に保ったまま、ゲート電位Ｖg及びソース電位Ｖsが上昇する動作がブートストラップ動作である。
【００８４】
駆動トランジスタ２２のゲート電極がフローティング状態になり、それと同時に、駆動トランジスタ２２のドレイン−ソース間電流Ｉdsが有機ＥＬ素子２１に流れ始めることにより、当該電流Ｉdsに応じて有機ＥＬ素子２１のアノード電位が上昇する。
【００８５】
そして、有機ＥＬ素子２１のアノード電位がＶth_EL＋Ｖcathを超える、有機ＥＬ素子２１に駆動電流が流れ始めるため有機ＥＬ素子２１が発光を開始する。また、有機ＥＬ素子２１のアノード電位の上昇は、即ち、駆動トランジスタ２２のソース電位Ｖsの上昇に他ならない。そして、駆動トランジスタ２２のソース電位Ｖsが上昇すると、保持容量２４に伴うブートストラップ動作により、駆動トランジスタ２２のゲート電位Ｖgも連動して上昇する。
【００８６】
このとき、ブートストラップゲインが１（理想値）であると仮定した場合、駆動トランジスタ２２のゲート電位Ｖgの上昇量はソース電位Ｖsの上昇量に等しくなる。故に、発光期間中、駆動トランジスタ２２のゲート‐ソース間電圧Ｖdsは、Ｖsig−Ｖofs＋Ｖth−ΔＶで一定に保持される。
【００８７】
以上説明したように、従来技術に係る駆動方法では、閾値補正と信号書込みを１Ｈ（１水平期間）の間に行うようにしている。従って、例えば黒画面表示の場合であっても、信号線３３に対して基準電圧Ｖofsと映像信号の信号電圧Ｖsigとを１Ｈ毎に書き換えることになる。
【００８８】
そのため、信号線３３1〜３３nの各々における充放電の回数が多く、トータルの充放電電流が増えるために、信号出力部６０の消費電力が多くなってしまう。換言すれば、従来技術に係る駆動方法では、画素２０を構成する素子の特性ばらつき等に起因する表示むらの補正動作に伴って信号出力部６０、ひいては表示装置１０の消費電力が増大するという問題があった。
【００８９】
また、閾値補正と信号書込みを１Ｈの間に行うと、閾値補正期間や信号書込み期間としてとり得る期間が１水平期間と一定の関係を持ち制約があるため、補正期間の設定に関して自由度が少なく、十分な補正時間を確保できない場合が生ずる。例えば、表示パネル７０の大型化に伴う書込み走査信号ＷＳや映像信号の信号電圧Ｖsigの鈍化や高速駆動化により、１水平期間の時間が短くなると、１回当たりの補正動作時間（オペレーション時間）が十分に確保できなくなる。
【００９０】
たとえ、先述した分割閾値補正の駆動法を用いたとしても、１回目の閾値補正期間の時間が短すぎる場合に、閾値補正のオペレーションを正常に行うことができず、良好なユニフォーミティが得られないことになる。
【００９１】
＜３．実施形態に関する説明＞
そこで、本実施形態では、１表示フレーム期間（１Ｆ）を２つに分割し、その前半の分割期間において駆動トランジスタ２２の閾値補正を行い、後半の分割期間において信号書込みを行うようにする。信号書込みと同じ期間では移動度補正も行なわれる。
【００９２】
このとき、信号出力部６０は、前半の分割期間においてはほぼ全期間に亘って、閾値補正のための基準電圧Ｖofsを信号線３３に対して出力（供給）する。すなわち、信号線３３の電位は、前半の分割期間のほぼ全期間に亘って基準電圧Ｖofsに設定される。また、信号出力部６０は、後半の分割期間においては、全ライン（行）についての映像信号の信号電圧Ｖsigを信号線３３に対して順に出力（供給）する。
【００９３】
そして、従来技術に係る駆動方法の場合と同様に、閾値補正準備→閾値補正→信号書込み＆移動度補正→発光→消光という順番でオペレーションが行われる。具体的には、１Ｆの前半の分割期間において閾値補正準備→閾値補正のオペレーションがライン単位で順番に行われ、後半の分割期間において信号書込み＆移動度補正→発光→消光のオペレーションがライン単位で順番に行われる。
【００９４】
このように、１Ｆを２つに分割し、その前半の分割期間において閾値補正を行い、後半の分割期間において信号書込みを行うことで、信号線３３に対して基準電圧Ｖofsと信号電圧Ｖsigとを１Ｆ毎に書き換えればよいことになる。これにより、基準電圧Ｖofsと信号電圧Ｖsigとを１Ｈ毎に書き換える従来技術に係る駆動方法に比べて、信号線３３1〜３３nの各々における充放電の回数を大幅に削減できる。
【００９５】
ラスター表示の場合を例に挙げると、従来技術に係る駆動方法では、信号線３３1〜３３nの各々の充放電が１Ｈ毎に行われる。これに対して、本実施形態に係る駆動方法では、１表示フレーム中の信号線３３1〜３３nの各々の充放電の回数は１回のみとなる。従って、信号出力部６０の消費電力は限りなく０［Ｗ］に近く、当該信号出力部６０、ひいては有機表示装置１０の低消費電力化を図ることができる。
【００９６】
また、前半の分割期間では、信号線３３にはほぼ全期間に亘って常に基準電圧Ｖofsが書き込まれているため、閾値補正期間として比較的自由に長い時間を確保することができる。これにより、例えば、表示パネル７０の大型化に伴う書込み走査信号ＷＳや映像信号の信号電圧Ｖsigの鈍化や高速駆動化により、１水平期間の時間が短くなった際に、従来技術に係る駆動方法で懸念されるオペレーション時間の不足をきたすことはない。その結果、回路構成を変更することなく、駆動タイミングの変更のみで、１回当たりの閾値補正時間の長時間化を図ることができるため、十分な閾値補正のオペレーションにより良好なユニフォーミティを得ることができる。
【００９７】
以下に、本実施形態に係る駆動方法についての参考例及び実施例について説明する。
【００９８】
［３−１．参考例］
図７は、参考例に係る駆動方法についてのタイミング波形図である。参考例に係る駆動方法では、１表示フレーム期間（１Ｆ）を、Ｆ／２ずつ均等に２分割し、その前半のＦ／２の分割期間において閾値補正を行い、後半のＦ／２の分割期間において信号書込みを行うようにする。
【００９９】
信号線３３には信号出力部６０から、前半のＦ／２の分割期間ではほぼ全期間に亘って基準電圧Ｖofsが出力され、後半のＦ／２の分割期間では全ライン（行）についての信号電圧Ｖsigが順に出力される。そして、従来技術に係る駆動方法の場合と同様に、閾値補正準備→閾値補正→信号書込み＆移動度補正→発光→消光という順番でオペレーションが行われる。
【０１００】
具体的には、前半のＦ／２の分割期間において閾値補正準備→閾値補正のオペレーションがライン単位で順番に行われる。すなわち、電源供給線３２の電位（電源電位）ＤＳが高電位側から低電位側へ遷移するタイミングから、低電位側から再び高電位側へ遷移するタイミングまでの期間において、閾値補正準備のオペレーションが行われる。続いて、電源電位ＤＳが低電位側から高電位側へ遷移するタイミングから、書込み走査信号ＷＳが高電位側から低電位側へ遷移するタイミングまでの期間において、閾値補正のオペレーションが行われる。
【０１０１】
また、後半のＦ／２の分割期間において信号書込み＆移動度補正→発光→消光のオペレーションがライン単位で順番に行われる。すなわち、電源電位ＤＳが高電位状態にあり、書込み走査信号ＷＳが高電位の状態（アクティブ状態）にある期間において、信号書込み＆移動度補正のオペレーションが行われる。図７のタイミング波形図において、Ｖsig_1〜Ｖsig_mは、１ライン（行）目〜ｍ行目の映像信号の信号電圧であり、Ｈ／２の周期で順に信号出力部６０から信号線３３1〜３３nに供給される。
【０１０２】
１表示フレーム期間（１Ｆ）を、Ｆ／２ずつ均等に２分割する場合は、前半のＦ／２の分割期間では、信号線３３に基準電圧Ｖofsのみが出力されるため、１つのラインについて、閾値補正から信号書込み＆移動度補正まで約１／２フレーム期間の間待機することになる。
【０１０３】
このように、１表示フレーム期間をＦ／２ずつ均等に２分割する参考例に係る駆動方法によれば、信号線３３に前半のＦ／２の分割期間のほぼ全期間に亘って基準電圧Ｖofsが出力されるため、Ｆ／２の分割期間内において比較的自由に閾値補正時間を確保することができる。
【０１０４】
具体的には、Ｈ／２期間＋垂直ブランキング（ＶＢＬＫ）期間を、閾値補正期間として使用することができる。すなわち、閾値補正と信号書込みを１Ｈ期間の間に行う従来技術に係る駆動方法の１回当たりの閾値補正時間に対して、垂直ブランキング（ＶＢＬＫ）期間の分だけ補正時間を余分に確保できる。
【０１０５】
これにより、回路構成を変更することなく、駆動タイミングの変更のみで、１回当たりの閾値補正時間の長時間化を図ることができるため、十分な閾値補正のオペレーションにより、表示画面の良好なユニフォーミティを得ることができる。因みに、信号書込み＆移動度補正については、従来技術に係る駆動方法と同様にＨ／２期間にて動作が行われることになる。
【０１０６】
また、参考例に係る駆動方法によれば、閾値補正動作から信号書込み＆移動度補正動作までの待機期間の時間を各ラインで一定にすることができる。これにより、この待機期間に発生する駆動トランジスタ２２の微少なリーク電流がライン毎に一定となるため、縦シェーディングの発生を抑えることができる。
【０１０７】
図８は、参考例に係る駆動方法の場合の閾値補正、信号書込み＆移動度補正、及び、発光についての概念図である。
【０１０８】
１表示フレーム期間を均等に２分割する場合、１表示フレームの前後半にそれぞれ１回ずつ走査する必要があるため、閾値補正及び信号書込み＆移動度補正の走査スピードは、２分割しない場合の２倍のスピードになる。
【０１０９】
一例として、１表示フレームを１２０［Ｈｚ］で駆動し、解像度がＦｕｌｌ  ＨＤ（１９２０×１０８０）の場合、２分割しない従来技術に係る駆動方法の走査スピードは、
１／１２０／１０８０＝７．７［μｓｅｃ］
となる。これに対して、参考例に係る駆動方法の場合、走査スピードは、
１／２４０／１０８０＝３．８［μｓｅｃ］
となり、従来技術に係る駆動方法の２倍になる。
【０１１０】
このことから明らかなように、参考例に係る駆動方法では、閾値補正時間を比較的自由に確保できるものの、信号書込み＆移動度補正に関しては、走査スピードが従来技術に係る駆動方法の２倍になり、移動度補正時間が短くなるため、移動度μの補正不足が生じる懸念がある。この点に鑑み為されたのが、以下に説明する実施例に係る駆動方法である。
【０１１１】
［３−２．実施例］
図９は、実施例に係る駆動方法についてのタイミング波形図である。また、図１０は、実施例に係る駆動方法の場合の閾値補正、信号書込み＆移動度補正、及び、発光についての概念図である。
【０１１２】
実施例に係る駆動方法では、１表示フレーム期間（１Ｆ）を２分割し、その前半の分割期間において閾値補正を実行し、後半の分割期間において信号書込みを実行するに当たって、後半の分割期間を前半の分割期間よりも長く設定するようにしている。このような設定にすることにより、信号書込み＆移動度補正についての走査スピードを、１Ｆを均等に２分割する参考例に係る駆動方法よりも遅くすることができる。
【０１１３】
一例として、１表示フレームを１２０［Ｈｚ］で駆動し、解像度がＦｕｌｌ  ＨＤの場合、前半の分割期間における閾値補正の駆動周波数を、参考例に係る駆動方法の２４０［Ｈｚ］から倍速の４８０［Ｈｚ］とし、信号書込み＆移動度補正の駆動周波数を２４０［Ｈｚ］から１６０［Ｈｚ］とする。
【０１１４】
信号書込み＆移動度補正の駆動周波数が１６０［Ｈｚ］になると、走査スピードは、
１／１６０／１０８０＝５．７８［μｓｅｃ］
となる。すなわち、信号書込み＆移動度補正についての走査スピードに関して、参考例に係る駆動方法の２４０［Ｈｚ］時の３．８［μｓｅｃ］の走査スピードに対して、約２［μｓｅｃ］の時間マージンを確保することができる。
【０１１５】
このように、後半の分割期間を前半の分割期間よりも長く設定し、信号書込み＆移動度補正についての走査スピードを、閾値補正についての走査スピードよりも遅くすることにより、移動度補正のオペレーション時間のマージンを確保できる。これにより、移動度補正をより確実に行うことができるために、高ユニフォーミティの表示画面を得ることができる。
【０１１６】
また、閾値補正に関しても、閾値補正と移動度補正を１Ｈ期間の間に行う従来技術に係る駆動方法に比べて、１回当たりの閾値補正時間の長時間化を図ることができるため、十分な閾値補正のオペレーションにより良好なユニフォーミティを得ることができる。
【０１１７】
＜４．変形例＞
以上、本開示の技術について実施形態を用いて説明したが、本開示の技術は上記の実施形態に記載の範囲には限定されない。すなわち、本開示の技術の要旨を逸脱しない範囲内で上記の実施形態に多様な変更または改良を加えることができ、そのような変更または改良を加えた形態も本開示の技術の技術的範囲に含まれる。
【０１１８】
例えば、上記の実施形態では、有機ＥＬ素子２１を駆動する駆動回路について、２つのトランジスタ（２２，２３）及び１つ容量素子（２４）から成る２Ｔｒ／１Ｃ型の回路としたが、これに限られるものではない。有機ＥＬ素子２１の容量不足分を補い、保持容量２４に対する映像信号の書込みゲインを高めるために、必要に応じて、一方の電極を有機ＥＬ素子２１のアノード電極に接続し、他方の電極を固定電位に接続した補助容量を追加した２Ｔｒ／２Ｃ型の回路とすることもできる。
【０１１９】
また、閾値補正に用いる基準電圧Ｖofsを選択的に駆動トランジスタ２３に与えるスイッチングトランジスタを追加した３Ｔｒ／１Ｃ（２Ｃ）型の回路や、必要に応じて更に１つあるいは複数のトランジスタを追加した回路とすることもできる。
【０１２０】
更に、上記の実施形態では、画素２０の電気光学素子として、有機ＥＬ素子を用いた有機ＥＬ表示装置に適用した場合を例に挙げて説明したが、本開示はこの適用例に限られるものではない。具体的には、本開示は、無機ＥＬ素子、ＬＥＤ素子、半導体レーザー素子など、デバイスに流れる電流値に応じて発光輝度が変化する電流駆動型の電気光学素子を用いた表示装置全般に対して適用可能である。
【０１２１】
＜５．電子機器＞
以上説明した本開示の表示装置は、電子機器に入力された映像信号、若しくは、電子機器内で生成した映像信号を、画像若しくは映像として表示するあらゆる分野の電子機器において、その表示部（表示装置）として用いることが可能である。
【０１２２】
上述した実施形態の説明から明らかなように、本開示の表示装置は、画素を構成する素子の特性ばらつき等に起因する表示むらの補正動作に伴う消費電力の低減を図りつつ、高ユニフォーミティの表示画面を得ることができる。従って、あらゆる分野の電子機器において、その表示部として本開示の表示装置を用いることで、電子機器の低消費電力化に寄与できるとともに、優れた画品位の表示画面を得ることができる。
【０１２３】
本開示の表示装置を表示部に用いる電子機器としては、テレビジョンシステムの他、例えば、デジタルカメラ、ビデオカメラ、ゲーム機器、ノート型パーソナルコンピュータなどを例示することができる。また、本開示の表示装置は、電子書籍機器や電子腕時計等の携帯情報機器や、携帯電話機やＰＤＡ等の携帯通信機器などの電子機器において、その表示部として用いることもできる。
【０１２４】
＜６．本開示の構成＞
尚、本開示は以下のような構成を採ることもできる。
［１］映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成る画素アレイ部と、
１表示フレーム期間を２つに分割した前半の分割期間において駆動トランジスタの閾値補正を行い、前半の分割期間よりも長い期間に設定された後半の分割期間において信号電圧の書込みを行うべく画素回路を駆動する駆動部とを備えた表示装置。
［２］後半の分割期間において、駆動トランジスタの移動度補正を行う請求項１に記載の表示装置。
［３］保持容量は、駆動トランジスタのゲート電極と一方のソース／ドレイン電極との間に接続されている上記［１］または上記［２］に記載の表示装置。
［４］サンプリングトランジスタは、映像信号の信号電圧と異なるタイミングで信号線に供給される、閾値補正に用いる基準電圧をサンプリングする上記［１］から上記［３］のいずれかに記載の表示装置。
［５］駆動部は、駆動トランジスタのゲート電位の初期化電位を基準として当該初期化電位から駆動トランジスタの閾値電圧を減じた電位に向けて、駆動トランジスタの一方のソース／ドレイン電極の電位を変化させることによって閾値補正を行う上記［１］から上記［４］のいずれかに記載の表示装置。
［６］前半の分割期間において、信号線に対して初期化電位を決める基準電圧が供給される上記［５］に記載の表示装置。
［７］駆動部は、サンプリングトランジスタによって信号電圧を書き込む期間において、駆動トランジスタに流れる電流に応じた帰還量で保持容量に対して負帰還をかけることによって移動度補正を行う上記［２］から上記［６］のいずれかに記載の表示装置。
［８］後半の分割期間において、信号線に対して映像信号の信号電圧が供給される上記［７］に記載の表示装置。
［９］映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成り、
サンプリングトランジスタは、１表示フレーム期間を２つに分割した前半の分割期間において基準電圧のサンプリングを行い、前半の分割期間よりも長い期間に設定された後半の分割期間において信号電圧のサンプリングを行う表示装置。
［１０］前半の分割期間において、駆動トランジスタの閾値補正を行う上記［９］に記載の表示装置。
［１１］後半の分割期間において、信号電圧の書込みを行う上記［９］に記載の表示装置。
［１２］後半の分割期間において、駆動トランジスタの移動度補正を更に行う上記［１１］に記載の表示装置。
［１３］映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成る表示装置の駆動に当たって、
１表示フレーム期間を２つに分割した前半の分割期間において駆動トランジスタの閾値補正を行い、前半の分割期間よりも長い期間に設定された後半の分割期間において信号電圧の書込みを行う表示装置の駆動方法。
［１４］映像信号の信号電圧をサンプリングするサンプリングトランジスタ、
サンプリングトランジスタによってサンプリングされた信号電圧を保持する保持容量、及び、
保持容量によって保持された信号電圧に応じて発光部を駆動する駆動トランジスタを有する画素回路が配置されて成る画素アレイ部と、
１表示フレーム期間を２つに分割した前半の分割期間において駆動トランジスタの閾値補正を行い、前半の分割期間よりも長い期間に設定された後半の分割期間において信号電圧の書込みを行うべく画素回路を駆動する駆動部とを備える表示装置を有する電子機器。
【符号の説明】
【０１２５】
１０・・・有機ＥＬ表示装置、２０・・・画素、２１・・・有機ＥＬ素子、２２・・・駆動トランジスタ、２３・・・サンプリングトランジスタ、２４・・・保持容量、３０・・・画素アレイ部、３１（３１1〜３１m）・・・走査線、３２（３２1〜３２m）・・・電源供給線、３３（３３1〜３３n）・・・信号線、４０・・・書込み走査部、５０・・・駆動走査部、６０・・・信号出力部、７０・・・表示パネル、ＷＳ（ＷＳ1〜ＷＳm）・・・書込み走査信号、ＤＳ（ＤＳ1〜ＤＳm）・・・電源供給線の電位（電源電位）
【図１】
2014149486.tif 000003
【図２】
2014149486.tif 000004
【図３】
2014149486.tif 000005
【図４】
2014149486.tif 000006
【図５】
2014149486.tif 000007
【図６】
2014149486.tif 000008
【図７】
2014149486.tif 000009
【図８】
2014149486.tif 000010
【図９】
2014149486.tif 000011
【図１０】
2014149486.tif 000012